(57)【要約】【課題】唐箕からの選別風の風量を効率良く増加させることが可能な脱穀装置が要望されている。【解決手段】脱穀装置には、扱胴および受網を有する脱穀部と、前記脱穀部によって脱穀されて前記受網から漏下した処理物を揺動選別する揺動選別装置、および、前記揺動選別装置の前下方に配置されるとともに前記揺動選別装置に選別風を送風する唐箕、を有する選別部と、が備えられ、前記唐箕は、前記選別風を送風する送風ファンと、前記送風ファンの前部および横側部を覆う唐箕ケースと、を有し、外気を吸引する横吸引口が前記唐箕ケースの側部に形成されているとともに、外気を吸引する前吸引口が前記唐箕ケースの前部に形成されている。【選択図】図１
2018121569.tif 000002
【特許請求の範囲】
【請求項１】
扱胴および受網を有する脱穀部と、
前記脱穀部によって脱穀されて前記受網から漏下した処理物を揺動選別する揺動選別装置、および、前記揺動選別装置の前下方に配置されるとともに前記揺動選別装置に選別風を送風する唐箕、を有する選別部と、が備えられ、
前記唐箕は、前記選別風を送風する送風ファンと、前記送風ファンの前部および横側部を覆う唐箕ケースと、を有し、
外気を吸引する横吸引口が前記唐箕ケースの側部に形成されているとともに、外気を吸引する前吸引口が前記唐箕ケースの前部に形成されている脱穀装置。
【請求項２】
前記前吸引口における外気の吸引量を調整する前吸引量調整機構が備えられている請求項１に記載の脱穀装置。
【請求項３】
前記前吸引量調整機構は、前記前吸引口から前方に離れた位置に、前記前吸引口に対向する状態で設けられる前板部材を有し、
前記前板部材が前記前吸引口に対して遠近移動して前記前板部材と前記唐箕ケースの前部との隙間が変更されることにより、前記前吸引口における外気の吸引量が調整されるように構成されている請求項２に記載の脱穀装置。
【請求項４】
前記横吸引口における外気の吸引量を調整する横吸引量調整機構が備えられ、
前記横吸引量調整機構は前記横吸引口に対向する状態で設けられる横側板部材を有し、
前記横側板部材が前記横吸引口に対して移動して前記横側板部材と前記横吸引口とのオーバーラップ量が変更されることにより、前記横吸引口における外気の吸引量が調整されるように構成され、
前記前板部材は、前記横側板部材と一体的に移動して、前記前吸引口に対して遠近移動するように構成されている請求項３に記載の脱穀装置。
【請求項５】
前記横吸引口は前記唐箕ケースの左右両側部に形成されるとともに、左右の前記横吸引口のそれぞれに対して前記横側板部材が備えられ、
左右の前記横側板部材を連結する横向きの軸芯部材が備えられ、左右の前記横側板部材は、前記軸芯部材を中心として一体的に揺動可能であり、
前記前板部材は、前記軸芯部材に支持されている請求項４に記載の脱穀装置。
【請求項６】
前記唐箕ケースの前上部を覆うカバー部が、前記前吸引量調整機構と一体的に備えられている請求項２から５の何れか一項に記載の脱穀装置。
【請求項７】
前記カバー部は、多孔部材によって形成されている請求項６に記載の脱穀装置。
【請求項８】
異物の侵入を防止する前多孔質部材が前記前吸引口に備えられている請求項１から７の何れか一項に記載の脱穀装置。
【請求項９】
異物の侵入を防止する横多孔質部材が前記横吸引口に備えられている請求項１から８の何れか一項に記載の脱穀装置。
【請求項１０】
前記横多孔質部材は、前記横吸引口のうち、前記送風ファンの回転軸芯よりも下側部分にのみ設けられている請求項９に記載の脱穀装置。
【発明の詳細な説明】
【技術分野】
【０００１】
本発明は、扱胴および受網を有する脱穀部と、脱穀部によって脱穀されて受網から漏下した処理物を揺動選別する揺動選別装置、および、揺動選別装置の前下方に配置されるとともに揺動選別装置に選別風を送風する唐箕、を有する選別部と、が備えられた脱穀装置に関する。
【背景技術】
【０００２】
例えば、特許文献１に記載の脱穀装置においては、唐箕ケース（文献では、「ファンケース」）の側部に外気を吸引する横吸引口（文献では、「吸引口」）が形成され、送風ファン（文献では、「羽根部材」）が回転することで、横吸引口から外気が吸引され、選別風が送風される。
【先行技術文献】
【特許文献】
【０００３】
【特許文献１】特開２０１４−０１４３３０号公報
【発明の概要】
【発明が解決しようとする課題】
【０００４】
ところで、脱穀装置の処理量を増加させる場合、脱穀部の処理能力を向上されるとともに、選別部の選別能力を向上させる必要がある。そして、選別部の選別能力を向上されるには、選別風の風量を多くする必要があり、送風ファンのサイズアップや送風ファンの回転数を高くすることで、選別風の風量は増加する。しかし、その前提として、唐箕ケース内に吸引される外気量を増加させないと、送風ファンに負荷が掛かり、選別風を効率良く増加させることができない。
【０００５】
上記実情に鑑みて、唐箕からの選別風の風量を効率良く増加させることが可能な脱穀装置が要望されている。
【課題を解決するための手段】
【０００６】
本発明は、
扱胴および受網を有する脱穀部と、
前記脱穀部によって脱穀されて前記受網から漏下した処理物を揺動選別する揺動選別装置、および、前記揺動選別装置の前下方に配置されるとともに前記揺動選別装置に選別風を送風する唐箕、を有する選別部と、が備えられ、
前記唐箕は、前記選別風を送風する送風ファンと、前記送風ファンの前部および横側部を覆う唐箕ケースと、を有し、
外気を吸引する横吸引口が前記唐箕ケースの側部に形成されているとともに、外気を吸引する前吸引口が前記唐箕ケースの前部に形成されていることを特徴とする。
【０００７】
本発明によれば、吸引口が、唐箕ケースの側部のみならず、唐箕ケースの前部にも形成されているため、唐箕ケースの側部にのみ吸引口が設けられている場合と比較して、唐箕ケース全体の吸引口の開口面積を多くすることが可能となる。このため、唐箕ケースへの外気の吸引量を多くすることができ、その結果、選別風の風量を効率よく増加させることができる。
【０００８】
なお、唐箕ケースの「前部」とは、唐箕ケースの側部とは異なる部分であって、唐箕ケースの前側に位置して、直前方、または、やや前上方、または、やや前下方に向いた部分を示すものである。
【０００９】
本発明において、
前記前吸引口における外気の吸引量を調整する前吸引量調整機構が備えられていると好適である。
【００１０】
脱穀装置での処理能力を高くしたとしても、処理量が少ない場合もあり、そのような場合に、選別風量が多過ぎると、選別風によって藁屑とともに穀粒も吹き飛ばされる可能性がある。また、処理対象である作物種や、作物の乾燥度合によって、好適な選別風量が異なる。本構成であると、前吸引量調整機構が備えられているため、処理量、作物種、作物の乾燥度合等の様々な条件に対応可能な脱穀装置とすることができる。
【００１１】
本発明において、
前記前吸引量調整機構は、前記前吸引口から前方に離れた位置に、前記前吸引口に対向する状態で設けられる前板部材を有し、
前記前板部材が前記前吸引口に対して遠近移動して前記前板部材と前記唐箕ケースの前部との隙間が変更されることにより、前記前吸引口における外気の吸引量が調整されるように構成されていると好適である。
【００１２】
本構成であると、前吸引口における外気の吸引量は、前板部材の前吸引口に対する遠近移動によって調整される。したがって、簡素な構成の前吸引量調整機構が得られる。
【００１３】
本発明において、
前記横吸引口における外気の吸引量を調整する横吸引量調整機構が備えられ、
前記横吸引量調整機構は前記横吸引口に対向する状態で設けられる横側板部材を有し、
前記横側板部材が前記横吸引口に対して移動して前記横側板部材と前記横吸引口とのオーバーラップ量が変更されることにより、前記横吸引口における外気の吸引量が調整されるように構成され、
前記前板部材は、前記横側板部材と一体的に移動して、前記前吸引口に対して遠近移動するように構成されていると好適である。
【００１４】
本構成によると、前吸引量調整機構および横吸引量調整機構の両方が、板部材で構成されているため、簡素な構造により、選別風量の調整が可能となる。さらに、両板部材が、一体的に移動するように構成されており、唐箕ケース内への吸引量を、簡素な構成で一気に大きく変更することが可能である。
【００１５】
本発明において、
前記横吸引口は前記唐箕ケースの左右両側部に形成されるとともに、左右の前記横吸引口のそれぞれに対して前記横側板部材が備えられ、
左右の前記横側板部材を連結する横向きの軸芯部材が備えられ、左右の前記横側板部材は、前記軸芯部材を中心として一体的に揺動可能であり、
前記前板部材は、前記軸芯部材に支持されていると好適である。
【００１６】
本発明の構成によれば、左右の横側板部材を連結する軸芯部材を使って、左右の横側板部材と前板部材とを一体的に移動させることができ、前吸引量調整機構と横吸引量調整機構との連動構造を簡素化することが可能となる。
【００１７】
本発明において、
前記唐箕ケースの前上部を覆うカバー部が、前記前吸引量調整機構と一体的に備えられていると好適である。
【００１８】
唐箕ケースの前上部に前吸引口を形成すると、上方から舞い落ちてくる藁屑等の塵埃が、前吸引口から唐箕ケース内に吸引され、選別性能が低下する虞がある。本構成であれば、上方から舞い落ちてくる藁屑等の塵埃が前吸引口から吸引されるのを防止できる。さらに、カバー部は前吸引量調整機構と一体的に動作するため、前吸引量調整機構が動くとカバー部も動き、その動きによって、カバー部の上部に溜まった藁屑等を下方にふるい落とすことができる。
【００１９】
本発明において、
前記カバー部は、多孔部材によって形成されていると好適である。
【００２０】
カバー部を備えると、前吸引口の上方からの吸気量が低下する虞がある。しかし、本構成によれば、カバー部に設けられた孔を通じて外気が前吸引口に吸引されるため、唐箕ケースの前上部への藁屑等の堆積を防止しつつ、前吸引口からの吸引量の低減を回避できる。
【００２１】
本発明において、
異物の侵入を防止する前多孔質部材が前記前吸引口に備えられていると好適である。
【００２２】
唐箕は、選別部における前下側箇所、即ち、地面等に近い位置に位置するため、送風ファンの吸引圧によって、装置周辺の石や泥などの異物が吸引口から唐箕ケース内部に入り込み、送風ファンや送風ファンの回転軸等が破損する虞がある。しかし、本発明であれば、前多孔質部材によって唐箕ケース内に異物が侵入するのが防止される。
【００２３】
本発明において、
異物の侵入を防止する横多孔質部材が前記横吸引口に備えられていると好適である。
【００２４】
本構成であれば、横多孔質部材によって唐箕ケース内に異物が侵入するのが防止される。
【００２５】
本発明において、
前記横多孔質部材は、前記横吸引口のうち、前記送風ファンの回転軸芯よりも下側部分にのみ設けられていると好適である。
【００２６】
横多孔質部材における孔のサイズにもよるが、横多孔質部材は、多少なりと、横吸引口からの吸気抵抗の原因になりかねない。また、送風ファン等を故障させるほどに硬かったり、大きかったりする異物は、地面近くに存在する場合が多い。本構成では、横吸引口のうちの地面近くの部分は横多孔質部材で覆いつつ、横吸引口のうちの地面から離れた高い箇所には、横多孔質部材を備えないため、異物の侵入の防止と吸引抵抗の軽減とが両立される。
【図面の簡単な説明】
【００２７】
【図１】脱穀装置の縦断左側面図である。
【図２】唐箕の前上部と前吸引量調整機構とを示す縦断左側面図である。
【図３】唐箕と横吸引量調整機構とを示す左側面図である。
【図４】唐箕と前吸引量調整機構とを示す正面図である。
【図５】前吸引量調整機構を取り外した際の唐箕を示す正面図である。
【図６】別実施形態に関するチャフシーブを示す縦断左側面図である。
【図７】別実施形態に関するチャフシーブを示す縦断左側面図である。
【発明を実施するための形態】
【００２８】
〔脱穀装置の基本構成〕
本発明による脱穀装置について、その実施形態を図面に基づいて説明する。
図１には、本発明の実施形態である脱穀装置１が示されている。脱穀装置１は、処理物を脱穀する脱穀部２と、脱穀部２によって脱穀された処理物から穀粒を選別して回収する選別部３と、が備えられている。脱穀部２は、脱穀装置１の上部に位置し、選別部３は、脱穀装置１の下部に位置している。即ち、選別部３は、脱穀部２の下方に配置されている。脱穀装置１の後方には、排藁などを細断処分するチョッパー４が備えられている。
【００２９】
脱穀部２には、扱室５が設けられ、扱胴６と受網７とは、扱室５に配置されている。扱胴６は、扱胴軸８の軸芯Ｘ１を中心に回転自在となるように構成されている。扱胴６の前部に、掻込部１０Ａが備えられ、掻込部１０Ａの後ろに扱き処理部１０Ｂが連設され、掻込部１０Ａと扱き処理部１０Ｂとは一体的に回転する。フィーダＦによって搬送された刈取穀稈は、掻込部１０Ａに設けられた螺旋羽根１１の回転により、フィーダＦから掻き込まれ、後方の扱き処理部１０Ｂへ搬送される。扱胴６には、扱胴軸８と、扱胴軸８の軸芯Ｘ１の方向における複数箇所に支持された円盤形状の複数の支持部材９と、支持部材９の外周部に周方向に間隔を空けた状態で支持された扱歯支持部材１２と、が備えられている。そして、複数の扱歯１３が、径方向外側に向けて突出する状態、かつ、軸芯Ｘ１方向に間隔を空けた状態で、扱歯支持部材１２に支持されている。このように、扱胴６は、中空の籠型に形成されており、扱胴６の内部空間も扱き処理空間として機能する。脱穀処理量が多い場合、処理物は、隣り合う扱歯支持部材１２の間から処理物が内部空間に退避することが可能であり、内部空間において、処理物は、処理物同士の打撃や遠心力等による撹拌によって、脱穀処理される。扱胴６の回転により脱穀された処理物は、下方に配置された受網７によってふるい選別され、選別部３へ漏下する。
【００３０】
選別部３には、揺動選別装置１４、唐箕１５、一番物回収部１６、二番物回収部１７が備えられている。揺動選別装置１４は、グレンパン１８、チャフシーブ１９、グレンシーブ２１、ストローラック２２などを有するとともに、偏芯カム式の揺動機構２３によって前後方向に揺動駆動されるように構成されている。唐箕１５は、送風ファン２６を有し、送風ファン２６の回転によって生成された選別風が揺動選別装置１４に向けて送風され、軽い藁屑などが選別風によって装置後方へ吹き飛ばされるように構成されている。唐箕１５についての詳細は後述する。
【００３１】
受網７からグレンパン１８に漏下した処理物は、前後揺動によってチャフシーブ１９に後方搬送されるとともに重量選別がなされて比重の大きい穀粒は下層に分離され、比重の小さい藁屑は上層に分離される。これにより、上層に分離された藁屑が、唐箕１５からの選別風を受けて装置後方へ吹き飛ばされ易くなる。
【００３２】
なお、本実施形態では、グレンパン１８は第一グレンパン１８ａと第二グレンパン１８ｂとに分けられている。また、第一グレンパン１８ａの後方には篩線１８ｃが設けられており、第一グレンパン１８ａで重量選別を経て後方搬送された処理物は篩線１８ｃで漏下選別される。
【００３３】
チャフシーブ１９に搬送された処理物は、前後揺動によって後方搬送されるとともに漏下選別される。チャフシーブ１９は複数のチャフリップ２０を有し、それぞれのチャフリップ２０は前後方向において後側上がりの姿勢で傾斜するとともに、傾斜角度の変更により、チャフリップ間の隙間が調整自在となるように構成されている。グレンパン１８の重量選別によって下層に分離された穀粒は、チャフリップ間の隙間から漏下が促され、グレンシーブ２１にて漏下選別がなされる。比較的大きな藁屑などは、ストローラック２２を介してチョッパー４に搬送されて、細断処理される。
【００３４】
一番物回収部１６によって回収された穀粒は不図示の穀粒タンクに搬送される。二番物回収部１７によって回収された藁屑を含む穀粒は、扱室５の前部に還元搬送され、再度脱穀処理される。
【００３５】
図２に示されているように、唐箕１５には軸芯Ｘ２を中心に回転自在な唐箕軸２５と送風ファン２６とが設けられている。送風ファン２６は円盤状の支持部２４を介して唐箕軸２５に接続され、送風ファン２６と唐箕軸２５とが一体的に回転可能となるように構成されている。送風ファン２６は軸芯Ｘ２を中心に、矢印Ａで示す方向に回転するように構成され、送風ファン２６の基端側から先端側へ延出するほど矢印Ａで示す方向に湾曲するように形成されている。
【００３６】
図示はしないが、唐箕軸２５の両軸端部にはプーリーが設けられ、エンジンからの動力が一端側のプーリーに伝達され、多端側のプーリーから、揺動機構２３や、一番物回収部１６や、二番物回収部１７や、チョッパー４などに、エンジンの動力が伝達される。このように、唐箕軸２５は他の駆動系へ動力を伝達するための中継軸を兼ねている。
【００３７】
図３乃至図５に示されているように、送風ファン２６は唐箕ケース２７によって覆われ、外気を吸引するための横吸引口２８が唐箕ケース２７の左右側部に形成されているとともに、外気を吸引するための前吸引口２９が唐箕ケース２７の前部に形成されている。また、前吸引口２９の左右方向における略中央部の上下間を支持する状態で前ステー部材３０が設けられ、唐箕ケース２７の剛性が確保されている。
【００３８】
図１に示されているように、揺動選別装置１４の下側へ選別風を送風するための第一送風路３１が、唐箕ケース２７の後下部に形成されるとともに、揺動選別装置１４の上側へ選別風を送風するための第二送風路３２が、唐箕ケース２７の上方から後方に向けて形成されている。送風ファン２６がＡ向きの方向に回転すると、外気が前吸引口２９および横吸引口２８から送風ファン２６の回転によって吸引され、吸引された外気は選別風として、第一送風路３１および第二送風路３２に吐出される。
【００３９】
第一送風路３１には、主にチャフシーブ１９の前部に選別風を送り出す風路３１Ａと、主にグレンシーブ２１に選別風を送り出す風路３１Ｂと、主に揺動選別装置１４の下方に選別風を送り出す風路３１Ｃと、が備えられている。これらの風路３１Ａ，３１Ｂ，３１Ｃを流れる選別風により、チャフシーブ１９およびグレンシーブ２１から漏下する処理物に含まれる藁屑などが装置後方へ吹き飛ばされる。
【００４０】
第二送風路３２は唐箕ケース２７から前方向に吐出され、Ｕ字状に屈曲した送風管によって送風路が反転されて、揺動選別装置１４の上側を流れる送風路として形成されている。換言すれば、第二送風路３２は、第一グレンパン１８ａと第二グレンパン１８ｂとの間の空間を経由して、チャフシーブ１９の上方を流れる選別風の送風路として形成されている。この風路を流れる選別風により、第二グレンパン１８ｂの重量選別により上層に分離された軽い比重の藁屑などが後方に吹き飛ばされるとともに、第一グレンパン１８ａ後方の篩線１８ｃから落下する処理物に含まれる藁屑なども後方に吹き飛ばされる。
【００４１】
図２乃至図４に示されているように、唐箕１５には、前吸引口２９からの外気の吸引量の調整のための前吸引量調整機構３３と、横吸引口２８からの外気の吸引量の調整のための横吸引量調整機構３４と、が備えられている。即ち、前吸引量調整機構３３および横吸引量調整機構３４によって外気の吸引量が調整されることにより、送風ファン２６から揺動選別装置１４に送風される選別風の風量が調整される。
【００４２】
前吸引量調整機構３３には前板部材３６が備えられている。前板部材３６の左右幅は唐箕ケース２７の左右幅よりも長く形成され、かつ、前板部材３６の上下長さは前吸引口２９の上下長さよりも長く形成されており、前板部材３６が唐箕ケース２７の前吸引口２９を前方より覆うことができるように構成されている。本実施形態では、唐箕ケース２７側に屈曲するように曲げ形成されている折板部３６ａが、前板部材３６の下部に形成されている。即ち、前板部材３６の折板部３６ａが、より唐箕ケース２７の前部に近づくように折り曲げ形成されている。前板部材３６が前吸引口２９に対して遠近移動して、前板部材３６の折板部３６ａの先端部と唐箕ケース２７の前部との隙間が変更されることにより、この隙間を経由して前吸引口２９に吸引される外気の吸引量が調整されるように構成されている。これにより、前板部材３６が前吸引口２９に対して接近したときには、前吸引口２９おける外気吸引量が絞られるように構成されている。もちろん、前吸引口２９における必要な吸引量の調整のために、折板部３６ａの屈曲角度、前吸引口２９と折板部３６ａとの隙間の範囲などは、適宜設計変更できる。
【００４３】
前板部材３６の上部には、唐箕ケース２７側に屈曲するように曲げ形成されたカバー部３６ｂが形成されている。カバー部３６ｂは前板部材３６と一体的に唐箕ケース２７の前上部を覆うように、前後方向で後上がり形状に形成されている。これにより、埃や藁屑などがカバー部３６ｂの上に積もることなく下方に落下するように構成されている。また、カバー部３６ｂの表面にパンチングメタル状の多孔部が形成されている。外気がカバー部３６ｂ表面の多孔部を経由して前吸引口２９に吸引されるため、前吸引口２９の吸引量が十分に確保される。カバー部３６ｂは、前吸引口２９に対する防塵としての役割にも用いられているため、多孔部における孔の大きさは、藁屑などが通過しない程度の大きさであることが望ましい。
【００４４】
横吸引量調整機構３４には横側板部材３７が設けられている。横側板部材３７の上下長さは、横吸引口２８の上下長さよりも長く形成されている。また、横側板部材３７の前後方向幅は、横吸引口２８の前側を覆う程度の幅に形成されている。横側板部材３７が唐箕ケース２７の側面に沿う状態で、唐箕ケース２７の側面と平行移動して横側板部材３７と横吸引口２８とのオーバーラップ量が変更されることにより、横吸引口２８における外気の吸引量が調整されるように構成されている。換言すると、横吸引口２８に対して横側板部材３７が唐箕ケース２７の外側から被せられることにより、横吸引口２８の開口面積が絞られて、横吸引口２８における吸引量が調整される。
【００４５】
図２乃至図４に示されているように、前板部材３６と横側板部材３７とは、軸芯部材３５に対して取り付けられ、前板部材３６と横側板部材３７とが一体的に移動するように構成されている。軸芯部材３５はパイプ状に形成され、唐箕ケース２７の左右方向に沿う上辺部３５ａと、上辺部３５ａの左右端部から前下方へ屈曲しながら延出する側辺部３５ｂとから構成されている。つまり、上辺部３５ａから側辺部３５ｂにかけて、左右方向から下方向に屈曲するように曲げ形成されている。
【００４６】
装置フレーム４０には前方へ突起した揺動支持部４０ａが左右一対で備えられており、左右一対の揺動支持部４０ａの上に上辺部３５ａが揺動可能に支持される。
【００４７】
軸芯部材３５の側辺部３５ｂに設けられた挿通孔と、前板部材３６の左右端部に設けられた挿通孔と、横側板部材３７に設けられた締結孔と、が重ね合わせられた状態で、ボルトが挿通されて締結される。これにより、前板部材３６と横側板部材３７とが軸芯部材３５に取り付けられるとともに、揺動支持部４０ａに支持された上辺部３５ａを軸芯として揺動自在となるように構成されている。なお、前板部材３６は、上辺部３５ａに取り付けてあっても良い。さらに、前板部材３６を軸芯部材３５に溶接固定してあっても良い。
【００４８】
横側板部材３７の下部には長孔３７ｂが設けられており、長孔３７ｂは横側板部材３７の揺動方向に沿うように湾曲状に形成されているとともに、蝶ボルト３７ｃが挿通可能な孔径となるように形成されている。蝶ボルト３７ｃが長孔３７ｂに挿通されるとともに、唐箕ケース２７の前方視左側部に設けられた不図示のボルト締結孔に締結される。このように、軸芯部材３５に取り付けられた前板部材３６および横側板部材３７は、長孔３７ｂに挿通された蝶ボルト３７ｃによって固定可能となるように構成されている。本実施形態では、長孔３７ｂは唐箕ケース２７の前方視左側面に対応する横側板部材３７のみに設けられているが、唐箕ケース２７両側面に対応する左右の横側板部材３７に、それぞれ設けられる構成であってもよい。
【００４９】
図３および図５に示されているように、異物の侵入を防止することを目的として、唐箕ケース２７の前吸引口２９には前多孔質部材３８が設けられているとともに、横吸引口２８には横多孔質部材３９が設けられている。
【００５０】
前多孔質部材３８はメッシュ状の網となるように形成され、前吸引口２９が唐箕ケース２７外側から全て覆われるように構成されている。即ち、前多孔質部材３８の左右幅は前吸引口２９の左右幅より長く形成され、かつ、前多孔質部材３８の上下長さは前吸引口２９の上下長さより長く形成されている。前吸引口２９の上方および下方には取付ステー４１が、それぞれ設けられている。取付ステー４１は、唐箕ケース２７から突起する逆Ｕ字状に形成されるとともに、固定ボルトＢｏの締結孔が突起先端面に形成され、基端部が唐箕ケース２７に溶接固定されている。固定ボルトＢｏが、前多孔質部材３８における任意の網目を挿通した状態で、取付ステー４１の締結孔に締結される。このとき、固定ボルトＢｏの頭部と前多孔質部材３８との間には、座金４２が挟まれた状態で固定されている。座金４２の外周は前多孔質部材３８の網目よりも大きな形状を有しており、前多孔質部材３８の網目が、座金４２と取付ステー４１とに挟まれて、固定ボルトＢｏの頭部から抜けないように構成されている。これにより、前多孔質部材３８が前吸引口２９を唐箕ケース２７の外側から覆う状態で固定されている。
【００５１】
横多孔質部材３９はメッシュ状の網となるように形成され、横吸引口２８が唐箕ケース２７外側から覆われるように構成されている。装置フレーム４０の唐箕ケース２７側部に対応する箇所には、横多孔質部材３９を取り付けるための、取付ステー４３が溶接固定されている。また、固定ボルトＢｏの締結孔が、取付ステー４３と唐箕ケース２７の側部とに設けられている。固定ボルトＢｏが、横多孔質部材３９における任意の網目に挿入された状態で、締結孔に締結される。また、前多孔質部材３８の場合と同様に、固定ボルトＢｏの頭部と前多孔質部材３８との間には、座金４４が挟まれた状態で固定されて、横多孔質部材３９の網目が固定ボルトＢｏの頭部から抜けないように構成されている。
【００５２】
横多孔質部材３９は横吸引口２８のうちの下側半分のみを覆う状態で取り付けられている。したがって、横吸引口２８の上側半分から十分な吸引量が確保されるように構成されている。また、脱穀装置１が搭載された収穫機の刈取走行で跳ね上げられた異物（例えば、圃場の石や泥）の侵入が、下側半分に設けられた横多孔質部材３９によって防止される。収穫機に搭載された脱穀装置１においては、穀粒タンクと反対側、即ち圃場に面するとともに異物の侵入が生じやすい側の横吸引口２８に、横多孔質部材３９が取り付けられることが、特に望ましい。
【００５３】
〔別実施形態〕
本発明は、上記の実施形態に例示された構成に限定されるものではなく、以下、本発明の代表的な別実施形態を例示する。
【００５４】
〔１〕前板部材３６の上部に形成されているカバー部３６ｂの多孔部は、パンチングメタル状に限定されず、例えばメッシュ状の網であっても良い。
【００５５】
〔２〕本実施形態では、横側板部材３７の前後方向幅は、横吸引口２８の前側を覆う程度の幅に形成されているが、本実施形態に限定されず、横側板部材３７の前後方向幅を横吸引口２８の前後方向幅よりも長くすることも可能である。つまり、横吸引口２８における必要な吸引量の調整のために、横側板部材３７の前後方向幅は適宜変更可能である。
【００５６】
〔３〕本実施形態では、前多孔質部材３８および横多孔質部材３９はメッシュ状の網となるように形成されているが、本実施形態に限定されず、パンチングメタルであっても良い。また、前多孔質部材３８および横多孔質部材３９が独立した部材でなくても良く、例えば、唐箕ケース２７と一体的に形成されていても良い。
【００５７】
〔４〕本実施形態では、横多孔質部材３９は横吸引口２８のうちの下側半分のみを覆う状態で取り付けられているが、本実施形態に限定されず、横多孔質部材３９が横吸引口２８の全てを覆う状態で取り付けられても良い。
【００５８】
〔５〕収穫機に搭載された脱穀装置１においては、横多孔質部材３９が左右片側の横吸引口２８にのみ取り付けられても良いし、左右両側の横吸引口２８に取り付けられても良い。つまり、収穫機の刈取走行で跳ね上げられた異物が唐箕ケース２７内部に侵入せず、唐箕１５の破損が引き起こされなければ良い。
【００５９】
〔６〕作物種や作物の乾燥度合が悪い場合、藁屑の重さが重くて、グレンパン１８での重量選別が上手くなされていないことがある。そうすると、チャフシーブ１９の前側部分において、穀粒と一緒に藁屑が一番物回収部１６に漏下することがある。このような場合、チャフシーブ１９におけるチャフリップ２０の構成を下記のように工夫することで、重たい藁屑が多い場合でも、選別性能を高く維持することが可能となる。
【００６０】
図６に示されているように、チャフリップ２０のうち、前側部分に位置するチャフリップ２０ａ（例えば、前側から２枚目乃至５枚目の第一チャフリップ２０ａ）では、前から６枚目以降の第二チャフリップ２０ｂよりも、チャフリップ間の隙間が狭くなるように構成されている。それぞれのチャフリップ２０の下端には、前上側に向けて突起する突起部が設けられている。このうち、第一チャフリップ２０ａの突起部は、第二チャフリップ２０ｂの突起部よりも高く形成されている。その結果、第一チャフリップ２０ａの下端部に接する隙間ｄ１は、第二チャフリップ２０ｂの下端部に接する隙間ｄ２よりも、狭くなっている。
【００６１】
隙間ｄ１においては、穀粒の漏下量が減少するが、藁屑の漏下量も減少する。そして、処理物はあまり漏下しないままチャフシーブ１９の後側部分へ搬送される。その後方搬送過程において、チャフシーブ１９の前後揺動によって処理物の重量選別が促進され、穀粒と藁屑とが上下に比重分離される（重い穀粒が下に位置する）。そして、処理物が第二チャフリップ２０ｂを通過する間に、広い隙間ｄ２から、下層に分離された穀粒が積極的に漏下される。上方の藁屑は、唐箕１５からの選別風によって、装置後方へ吹き飛ばされる。このように、チャフシーブ１９の前側部分（第一チャフリップ２０ａの領域）において漏下選別機能を積極的に低下させることで、チャフシーブ１９全体で重量選別を行い、重い藁屑が多い処理物でも好適に選別処理できる。
【００６２】
また、チャフシーブ１９の前側部分において、チャフリップ２０の下端同士の隙間が狭くなるように、チャフリップ２０の下端に形成された突起の立ち上がり高さを調整する構成を採用したが、この形態に限られるものではない。例えば、後上端から後下側に向けて突起する突起部が設けられているチャフリップであっても良い。さらに、図７に示すように、前側のチャフリップ２０ａを、後側のチャフリップ２０ｂよりも寝かせられるようすることで、前側におけるチャフリップ２０ａ同士の隙間ｄ１が、後側のチャフリップ２０ｂ同士の隙間ｄ２よりも狭くなるように構成しても良い。なお、第一チャフリップ２０ａの枚数は、適宜変更可能であり、また、一番先頭のチャフリップ２０から、突起を長くしたり、寝かせたりするように構成しても良い。
【産業上の利用可能性】
【００６３】
本発明は、コンバインに装備された脱穀装置だけでなく、脱穀装置単品についても適用可能である。
【符号の説明】
【００６４】
１      ：脱穀装置
２      ：脱穀部
３      ：選別部
１４    ：揺動選別装置
１５    ：唐箕
１８    ：グレンパン
１９    ：チャフシーブ
２１    ：グレンシーブ
２６    ：送風ファン
２７    ：唐箕ケース
２８    ：横吸引口
２９    ：前吸引口
３３    ：前吸引量調整機構
３４    ：横吸引量調整機構
３５    ：軸芯部材
３６    ：前板部材
３６ａ  ：折板部
３６ｂ  ：カバー部
３７    ：横側板部材
３８    ：前多孔質部材
３９    ：横多孔質部材
【図１】
2018121569.tif 000003
【図２】
2018121569.tif 000004
【図３】
2018121569.tif 000005
【図４】
2018121569.tif 000006
【図５】
2018121569.tif 000007
【図６】
2018121569.tif 000008
【図７】
2018121569.tif 000009